(57)【要約】【課題】小型化および組立工数軽減に有利でノイズの影響も受けにくいテレビジョン放送受信装置を提供すること。【解決手段】チューナ親機１０とチューナ子機２０は、互いの側面１１ｂ，２１ｂどうしを対向させた略平行な起立姿勢で配線基板１上に実装されており、側面１１ｂから突出する出力コネクタ１８，１９に、側面２１ｂから突出する入力コネクタ２６，２７を差し込んで接続させる。アンテナ等からチューナ親機１０の入力コネクタ１６，１７へ入力されたテレビジョン放送（地上波と衛星波）の高周波信号は、チューナ親機１０に内蔵されている信号分配部１４，１５で分配されて、分配後の一方の高周波信号がチューナ親機１０自身のチューナ部１２，１３へ供給されると共に、他方の高周波信号がコネクタ１８，１９，２６，２７を介してチューナ子機２０のチューナ部２２，２３へ供給される。【選択図】図２
2008258764.tif 000002
【特許請求の範囲】
【請求項１】
直方体形状の第１金属ケースを有し、この第１金属ケースの長手方向一端面から外方へ高周波信号の入力端子である第１入力コネクタを突出させていると共に、前記第１金属ケースに覆われた内部空間に、前記第１入力コネクタから供給された高周波信号を分配する信号分配部と、この信号分配部で分配された一方の高周波信号が供給される第１チューナ部とが収納されており、かつ前記第１金属ケースの長手方向に沿って延在する一側面から外方へ前記信号分配部で分配された他方の高周波信号の出力端子である出力コネクタを突出させている第１のチューナと、
直方体形状の第２金属ケースを有し、この第２金属ケースの長手方向に沿って延在する一側面から外方へ前記出力コネクタに差し込んで接続される第２入力コネクタを突出させていると共に、前記第２金属ケースに覆われた内部空間に前記第２入力コネクタを介して高周波信号が供給される第２チューナ部が収納されている第２のチューナとを備え、
前記第１および第２のチューナが前記第１のチューナの前記一側面と前記第２のチューナの前記一側面とを対向させた略平行な起立姿勢で配線基板上に実装されていることを特徴とするテレビジョン放送受信装置。
【請求項２】
請求項１の記載において、前記第１チューナ部、前記信号分配部、前記第１入力コネクタ、前記出力コネクタ、前記第２チューナ部および前記第２入力コネクタが、いずれも地上波用と衛星波用に一対ずつ配設されていることを特徴とするテレビジョン放送受信装置。
【請求項３】
請求項１の記載において、前記第２金属ケースに覆われた内部空間に前記第２入力コネクタから供給された高周波信号を分配する第２信号分配部が収納されていると共に、前記第２金属ケースの長手方向一端面から外方へ前記第２信号分配部で分配された一方の高周波信号を外部機器へ出力するための第２出力コネクタを突出させており、前記第２信号分配部で分配された他方の高周波信号が前記第２チューナ部へ供給されるようにしたことを特徴とするテレビジョン放送受信装置。
【請求項４】
請求項３の記載において、前記第１チューナ部、前記信号分配部、前記第１入力コネクタ、前記出力コネクタ、前記第２チューナ部、前記第２信号分配部、前記第２入力コネクタおよび前記第２出力コネクタが、いずれも地上波用と衛星波用に一対ずつ配設されていることを特徴とするテレビジョン放送受信装置。
【請求項５】
請求項１〜４のいずれか１項の記載において、前記第１のチューナの前記信号分配部が増幅器を有することを特徴とするテレビジョン放送受信装置。
【発明の詳細な説明】
【技術分野】
【０００１】
本発明は、配線基板上に２個のチューナを並設してテレビジョン放送の高周波信号を各チューナに分配することにより、同じ時間帯に２種類の放送番組の視聴や録画が行えるようにしたテレビジョン放送受信装置に関する。
【背景技術】
【０００２】
配線基板上に２個のチューナを並設し、各チューナによって選択された高周波信号がそれぞれ復調器等へ出力されるようになっていると、同じ時間帯に２種類の放送番組の視聴や録画が行えるため便利である（例えば、特許文献１参照）。
【０００３】
図６はテレビジョン放送用のチューナを２個並設した従来の放送受信装置を示す平面図であり、同図に示すように、チューナ２とチューナ３は所定の間隔を存して対向する略平行な起立姿勢で配線基板１上に実装されている。つまり、各チューナ２，３の底面から突出する図示せぬ端子群が配線基板１の図示せぬ配線パターンに半田接続されている。各チューナ２，３の長手方向一端面にはそれぞれ入力コネクタ２ａ，３ａが突設されている。これら入力コネクタ２ａ，３ａはそれぞれ分配器４の一面側に突設された出力コネクタ４ｂ，４ｃに差し込んで接続されている。また、分配器４の他面側には、アンテナ等からテレビジョン放送の高周波信号が入力される入力コネクタ４ａと、外部機器に接続される出力コネクタ４ｄとが突設されている。この分配器４は入力コネクタ４ａに入力されたテレビジョン放送の高周波信号を増幅して各出力コネクタ４ｂ，４ｃ，４ｄに分配するというものであり、分配器４に電源を供給するためのケーブル５が配線基板１上の図示せぬコネクタ等に接続されている。
【特許文献１】特開２００６−６０４７４号公報（第１０頁、図１３）
【発明の開示】
【発明が解決しようとする課題】
【０００４】
図６に示す従来のテレビジョン放送受信装置では、２個のチューナ２，３の入力コネクタ２ａ，３ａを分配器４の出力コネクタ４ｂ，４ｃに差し込むというコネクタ接続が行われており、各チューナ２，３と分配器４との間にコネクタ接続用のスペースを確保しなければならないため、装置全体の長手寸法が増大して小型化が図りにくいという問題があった。また、分配器４に電源を供給するケーブル５が空中を引き回されるためノイズの影響を受けやすく、さらに、このケーブル５を手作業で取り付けねばならぬため配線基板１上での組立工数が増えてしまうという問題があった。なお、各チューナ２，３には通常、地上波用チューナ部と衛星波用チューナ部が具備されているため、分配器４も地上波用と衛星波用が必要であり、よって各分配器４に電源を供給するために２本のケーブル５が必要となる。
【０００５】
本発明は、このような従来技術の実情に鑑みてなされたもので、その目的は、小型化および組立工数軽減に有利でノイズの影響も受けにくいテレビジョン放送受信装置を提供することにある。
【課題を解決するための手段】
【０００６】
上記の目的を達成するために、本発明のテレビジョン放送受信装置では、直方体形状の第１金属ケースを有し、この第１金属ケースの長手方向一端面から外方へ高周波信号の入力端子である第１入力コネクタを突出させていると共に、前記第１金属ケースに覆われた内部空間に、前記第１入力コネクタから供給された高周波信号を分配する信号分配部と、この信号分配部で分配された一方の高周波信号が供給される第１チューナ部とが収納されており、かつ前記第１金属ケースの長手方向に沿って延在する一側面から外方へ前記信号分配部で分配された他方の高周波信号の出力端子である出力コネクタを突出させている第１のチューナと、直方体形状の第２金属ケースを有し、この第２金属ケースの長手方向に沿って延在する一側面から外方へ前記出力コネクタに差し込んで接続される第２入力コネクタを突出させていると共に、前記第２金属ケースに覆われた内部空間に前記第２入力コネクタを介して高周波信号が供給される第２チューナ部が収納されている第２のチューナとを備え、前記第１および第２のチューナが前記第１のチューナの前記一側面と前記第２のチューナの前記一側面とを対向させた略平行な起立姿勢で配線基板上に実装されているという構成にした。
【０００７】
このように構成されたテレビジョン放送受信装置は、第１のチューナに信号分配部が内蔵されており、この信号分配部で分配された一方の高周波信号が当該チューナのチューナ部（第１チューナ部）に供給されると共に、信号分配部で分配された他方の高周波信号が出力コネクタおよび第２入力コネクタを介して第２のチューナのチューナ部（第２チューナ部）に供給されるようになっている。そのため、単品の分配器を２個のチューナにコネクタ接続するという構成のものに比べて、装置全体の長手寸法を短縮できると共に部品点数を削減できる。また、単品の分配器に電源を供給するためのケーブルが不要となる。
【０００８】
上記の構成において、第１チューナ部、信号分配部、第１入力コネクタ、出力コネクタ、第２チューナ部および第２入力コネクタは、いずれも地上波用と衛星波用に一対ずつ配設されていることが好ましい。
【０００９】
また、上記の構成において、第２金属ケースに覆われた内部空間に第２入力コネクタから供給された高周波信号を分配する第２信号分配部が収納されていると共に、第２金属ケースの長手方向一端面から外方へ第２信号分配部で分配された一方の高周波信号を外部機器へ出力するための第２出力コネクタを突出させており、第２信号分配部で分配された他方の高周波信号が第２チューナ部へ供給されるようにしてあると、例えば第１および第２のチューナを備えたビデオデッキから外部のテレビジョン受像機等へ高周波信号がスルーで供給できる。この場合において、第１チューナ部、信号分配部、第１入力コネクタ、出力コネクタ、第２チューナ部、第２信号分配部、第２入力コネクタおよび第２出力コネクタは、いずれも地上波用と衛星波用に一対ずつ配設されていることが好ましい。
【００１０】
また、上記の構成において、第１のチューナの信号分配部は増幅器を有することが好ましい。ただし、第２のチューナの第２信号分配部には増幅器は不要である。
【発明の効果】
【００１１】
本発明のテレビジョン放送受信装置は、第１のチューナに信号分配部が内蔵されており、この信号分配部で分配された一方の高周波信号が当該チューナのチューナ部（第１チューナ部）に供給されると共に、信号分配部で分配された他方の高周波信号が出力コネクタおよび第２入力コネクタを介して第２のチューナのチューナ部（第２チューナ部）に供給されるようになっているため、単品の分配器を２個のチューナにコネクタ接続するという構成のものに比べて、装置全体の長手寸法を短縮できて小型化が図りやすく、部品点数も削減できる。また、単品の分配器に電源を供給するためのケーブルが不要となるため、配線基板上での組立工数を軽減できてノイズの影響も受けにくくなる。
【発明を実施するための最良の形態】
【００１２】
発明の実施の形態を図面を参照して説明すると、図１は本発明の第１実施形態例に係るテレビジョン放送受信装置の平面図、図２は該テレビジョン放送受信装置の組立前の斜視図、図３は該テレビジョン放送受信装置へ入力される高周波信号の分配経路を示すブロック図である。
【００１３】
これらの図に示すテレビジョン放送受信装置は、２個のチューナ（チューナ親機１０とチューナ子機２０）を備えたデジタルビデオデッキであって、いずれのチューナも地上波と衛星波の受信が可能である。これらチューナ親機１０とチューナ子機２０は、互いに略平行な起立姿勢で配線基板（マザーボード）１上に実装されている。つまり、チューナ親機１０とチューナ子機２０の各底面から突出する図示せぬ端子群が、配線基板１の図示せぬ配線パターンに半田接続されている。そして、アンテナ等からチューナ親機１０へ入力されるテレビジョン放送の高周波信号が分配されて、チューナ親機１０とチューナ子機２０の各チューナ部へ供給されるようになっている。
【００１４】
チューナ親機１０は直方体形状の金属ケース１１を有し、この金属ケース１１に覆われた内部空間にチューナ部１２，１３および信号分配部１４，１５が収納されている。そして、チューナ部１２に信号分配部１４から地上波の高周波信号が供給され、チューナ部１３に信号分配部１５から衛星波の高周波信号が供給されるようになっている。金属ケース１１の底面から下方へ突出する図示せぬ端子群は、これらチューナ部１２，１３および信号分配部１４，１５から導出されたものである。このチューナ親機１０には、アンテナ等からテレビジョン放送の高周波信号が入力される入力コネクタ１６，１７と、チューナ子機２０へ分配後の高周波信号を供給するための出力コネクタ１８，１９とが突設されている。入力コネクタ１６，１７は金属ケース１１の長手方向一端面１１ａから外方へ突出しており、出力コネクタ１８，１９は金属ケース１１の長手方向に沿って延在する一側面１１ｂから外方へ突出している。
【００１５】
入力コネクタ１６と出力コネクタ１８はテレビジョン放送の地上波用で信号分配部１４に接続されており、入力コネクタ１６を介して信号分配部１４へ供給された地上波の高周波信号が、増幅後に分配されてチューナ部１２と出力コネクタ１８へ供給されるようになっている。また、入力コネクタ１７と出力コネクタ１９はテレビジョン放送の衛星波用で信号分配部１５に接続されており、入力コネクタ１７を介して信号分配部１５へ供給された衛星波の高周波信号が、増幅後に分配されてチューナ部１３と出力コネクタ１９へ供給されるようになっている。
【００１６】
すなわち、図３に示すように、チューナ親機１０に内蔵されている地上波用の信号分配部１４には、可変アッテネータ（減衰器）１４ａとアンプ（増幅器）１４ｂと分配回路１４ｃとが配設されている。入力コネクタ１６に入力された地上波の高周波信号は、可変アッテネータ１４ａでレベルが調整された後、アンプ１４ｂで増幅されてから分配回路１４ｃで分配される。そして、分配回路１４ｃで分配された一方の高周波信号がチューナ部１２へ供給され、他方の高周波信号が出力コネクタ１８へ供給される。また、チューナ親機１０に内蔵されている衛星波用の信号分配部１５も地上波用の信号分配部１４と同様の構成であり、信号分配部１５の分配回路で分配された一方の高周波信号がチューナ部１３へ供給され、他方の高周波信号が出力コネクタ１９へ供給される。
【００１７】
チューナ子機２０は直方体形状の金属ケース２１を有し、この金属ケース２１に覆われた内部空間にチューナ部２２，２３および信号分配部２４，２５が収納されている。そして、チューナ部２２に信号分配部２４から地上波の高周波信号が供給され、チューナ部２３に信号分配部２５から衛星波の高周波信号が供給されるようになっている。金属ケース２１の底面から下方へ突出する図示せぬ端子群は、これらチューナ部２２，２３および信号分配部２４，２５から導出されたものである。このチューナ子機２０には、チューナ親機１０の出力コネクタ１８，１９に差し込んで接続される入力コネクタ２６，２７と、テレビジョン受像機等の外部機器に接続される出力コネクタ２８，２９とが突設されている。入力コネクタ２６，２７は金属ケース２１の長手方向に沿って延在する一側面２１ｂから外方へ突出しており、出力コネクタ２８，２９は金属ケース２１の長手方向一端面２１ａから外方へ突出している。
【００１８】
入力コネクタ２６と出力コネクタ２８はテレビジョン放送の地上波用で信号分配部２４に接続されており、入力コネクタ２６を介して信号分配部２４へ供給された地上波の高周波信号が分配されて、チューナ部２２と出力コネクタ２８へ供給されるようになっている。すなわち、図３に示すように、チューナ子機２０に内蔵されている信号分配部２４には分配回路２４ａが配設されており、チューナ親機１０の出力コネクタ１８からチューナ子機２０の入力コネクタ２６を介して信号分配部２４へ供給された地上波の高周波信号が分配回路２４ａで分配されて、分配後の一方の高周波信号がチューナ部２２へ供給され、他方の高周波信号が出力コネクタ２８へ供給される。また、入力コネクタ２７と出力コネクタ２９はテレビジョン放送の衛星波用で信号分配部２５に接続されており、入力コネクタ２７を介して信号分配部２５へ供給された衛星波の高周波信号が、この信号分配部２５の分配回路で分配されて、分配後の一方の高周波信号がチューナ部２３へ供給され、他方の高周波信号が出力コネクタ２９へ供給される。
【００１９】
図１と図２に示すように、チューナ親機１０とチューナ子機２０は、互いの側面１１ｂ，２１ｂどうしを対向させた略平行な起立姿勢で配線基板１上に実装されている。また、配線基板１上でチューナ親機１０およびチューナ子機２０の近傍に図示せぬＭＰＥＧデコーダ（デジタル復調器）が実装されており、チューナ親機１０とチューナ子機２０にそれぞれ設けられた図示せぬデジタル信号出力端子が、図示せぬ配線パターンを介してこのＭＰＥＧデコーダに接続されている。
【００２０】
以上説明したように、第１実施形態例に係るテレビジョン放送受信装置は、アンテナ等からチューナ親機１０の入力コネクタ１６，１７へ入力されたテレビジョン放送（地上波と衛星波）の高周波信号が、チューナ親機１０に内蔵されている信号分配部１４，１５で分配されて、分配後の一方の高周波信号がチューナ親機１０自身のチューナ部１２，１３へ供給されると共に、他方の高周波信号が出力コネクタ１８，１９および入力コネクタ２６，２７を介してチューナ子機２０へ出力されるようになっている。したがって、このテレビジョン放送受信装置は、単品の分配器を２個のチューナにコネクタ接続するという構成のものに比べて、装置全体の長手寸法を短縮できて小型化が図りやすく、部品点数も削減されている。また、単品の分配器に電源を供給するためのケーブルが不要となるため、配線基板１上での組立工数を軽減できてノイズの影響も受けにくくなっている。
【００２１】
また、この第１実施形態例に係るテレビジョン放送受信装置では、チューナ子機２０にも信号分配部２４，２５が内蔵されており、チューナ親機１０の出力コネクタ１８，１９からチューナ子機２０へ入力された地上波と衛星波の高周波信号が、これら信号分配部２４，２５で分配されて、分配後の一方の高周波信号がチューナ部２２，２３へ供給されると共に、他方の高周波信号が出力コネクタ２８，２９を介して外部機器へ出力されるようになっている。したがって、このテレビジョン放送受信装置（デジタルビデオデッキ）に入力された地上波と衛星波の高周波信号の中から所望の放送番組を、チューナ親機１０とチューナ子機２０によって同時かつ独立に録画できるだけでなく、かかる地上波と衛星波の高周波信号を外部のテレビジョン受像機等へスルーで供給することができる。
【００２２】
なお、このテレビジョン放送受信装置は、チューナ親機１０とチューナ子機２０にそれぞれ設けられたデジタル信号出力端子がＭＰＥＧデコーダに接続されているため、デジタル放送用として好適である。
【００２３】
図４は本発明の第２実施形態例に係るテレビジョン放送受信装置の平面図、図５は該テレビジョン放送受信装置の組立前の斜視図であって、図１および図２と対応する部分には同一符号が付してあるため重複する説明は省略する。
【００２４】
図４および図５に示すテレビジョン放送受信装置は、チューナ子機２０に前記信号分配部２４，２５および前記出力コネクタ２８，２９が設けられていない点が、前述した第１実施形態例と大きく異なっている。すなわち、この第２実施形態例の場合、チューナ親機１０の出力コネクタ１８，１９からチューナ子機２０へ入力された地上波と衛星波の高周波信号が、外部機器用に分配されることなく、そのままチューナ部２２，２３へ供給されるようになっている。このような構成のテレビジョン放送受信装置は、例えばビデオ機能付きテレビジョン受像機などにおいて好適である。
【図面の簡単な説明】
【００２５】
【図１】本発明の第１実施形態例に係るテレビジョン放送受信装置の平面図である。
【図２】第１実施形態例に係るテレビジョン放送受信装置の組立前の斜視図である。
【図３】第１実施形態例に係るテレビジョン放送受信装置へ入力される高周波信号の分配経路を示すブロック図である。
【図４】本発明の第２実施形態例に係るテレビジョン放送受信装置の平面図である。
【図５】第２実施形態例に係るテレビジョン放送受信装置の組立前の斜視図である。
【図６】従来例を示す平面図である。
【符号の説明】
【００２６】
１  配線基板
１０  チューナ親機（第１のチューナ）
１１  金属ケース（第１金属ケース）
１２，１３  チューナ部（第１チューナ部）
１４，１５  信号分配部
１６，１７  入力コネクタ（第１入力コネクタ）
１８，１９  出力コネクタ
２０  チューナ子機（第２のチューナ）
２１  金属ケース（第２金属ケース）
２２，２３  チューナ部（第２チューナ部）
２４，２５  信号分配部（第２信号分配部）
２６，２７  入力コネクタ（第２入力コネクタ）
２８，２９  出力コネクタ（第２出力コネクタ）
【図１】
2008258764.tif 000003
【図２】
2008258764.tif 000004
【図３】
2008258764.tif 000005
【図４】
2008258764.tif 000006
【図５】
2008258764.tif 000007
【図６】
2008258764.tif 000008